(57)【要約】      （修正有）【課題】緊急時に、救助者の行うべき処置を手順よく知らせる情報システムを提供する。【解決手段】  ウェブドキュメントサーバは、クライアントサーバネットワークの部分であり、コンピュータ読み出し可能ソフトウェアコードは、ウェブサーバに、ウェブドキュメントをクライアントデバイスにダウンロードさせる指示のセットを含み、ウェブドキュメントは、実行されるべき特定のプログラムを選択するための１つ以上の選択可能プログラムセレクタを備える緊急時情報提供装置の仮想表現を含み、各プログラムは、手順のステップを含む複数の音声指示メッセージと、所定のパターンおよび実行セレクタの動作によりオーディオステップメッセージのプレイバックを方向付けるためのプレイバック制御情報とを含み、プレイバック制御情報は、ウェブサーバ上の各音声指示メッセージの位置と、プログラム内の音声指示のプレイバックの順序とを含む。【選択図】図２
2006012096.tif 000002
【特許請求の範囲】
【請求項１】
ウェブドキュメントサーバに格納されたコンピュータ読み出し可能ソフトウェアコードであって、該ウェブサーバは、クライアントサーバネットワークの一部分であり、該コンピュータ読み出し可能ソフトウェアコードは、該ウェブサーバに  
ウェブドキュメントをクライアントデバイスにダウンロードさせるための指示のセットを含み、該ウェブドキュメントは、実行されるべき特定のプログラムを選択するための、個別に選択可能な１つ以上のプログラムセレクタを含む緊急時情報提供装置の仮想表現を含み、各プログラムは、手順にステップを含む複数の音声指示メッセージと、プレイバックセレクタの動作のプレイバックを所定のパターンおよび該プレイバックセレクタの動作に合わせて方向付けるためのプレイバックコントロール情報とを含み、該プレイバックコントロール情報は、該ウェブサーバにおける各音声指示メッセージの位置と、該プログラム内の該音声指示のプレイバックの順序とを含む、コンピュータ読み出し可能ソフトウェアコード。
【請求項２】
前記仮想表現は、ユーザが指示プログラムの完了に関する進行を決定することを支援する一連のステップインジケータを備える、請求項１に記載のソフトウェアコード。
【請求項３】
前記ステップインジケータは、すべて、前記プログラムの開始時に照射され、該プログラムにおける各ステップが完了すると変化する、請求項２に記載のソフトウェア。
【請求項４】
前記ステップ指示は、ディスプレイ上に提供される数を含む、請求項２に記載のソフトウェア。
【請求項５】
複数のプログラムキーであって、各キーは、緊急医療シナリオ等の指示プログラムと関連付けられ、キーを押し下げることによって、該プログラムの一連のステップが開始する、複数のプログラムキーと、
プログラムのユーザが、該指示プログラムおよび該指示プログラムのステップの完了の進行を決定することを支援する複数のステップインジケータであって、該ステップインジケータは、該プログラムの各ステップが完了すると、照明を変更する複数の照明部材を備える、複数のステップインジケータと
を備える、コンパクトポータブル情報。
【請求項６】
前記複数のステップインジケータは、すべて、プログラムが起動すると照射され、かつ、該プログラムのそれぞれのステップが完了すると、連続的に変更される、請求項５に記載の装置。
【請求項７】
前記装置は、前記ユーザがプログラムと関連するステップの完了を承認することを可能にする承認キーをさらに備える、請求項５に記載の装置。
【請求項８】
前記ステップインジケータは、ディスプレイ上に提供される数を含む、請求項５に記載の装置。
【請求項９】
複数のプログラムキーであって、各キーは、緊急医療シナリオ等の指示プログラムと関連付けられ、キーの使用は、該プログラムの一連のステップを起動する、複数のプログラムキーと、
プログラムごとの複数のステップインジケータであって、前記プログラムのユーザが該それぞれの指示プログラムおよび該指示プログラムのステップの完了の進行を決定することを支援し、該ステップインジケータは、該プログラムの各ステップが完了すると変化する複数の照明部材のディスプレイを備える、複数のステップインジケータと
を備える、仮想情報提供装置。
【請求項１０】
前記ステップインジケータは、すべて、プログラムが起動すると照射され、該プログラムのそれぞれのステップが完了すると連続的に変化する、請求項９に記載の仮想装置。
【請求項１１】
前記ステップインジケータは、各ステップを示す一連の部材のディスプレイを備える、請求項９に記載の仮想装置。
【請求項１２】
複数のプログラムキーであって、各キーは、緊急医療シナリオ等の指示プログラムと関連付けられ、キーの使用は、該プログラムの一連のステップを開始する、複数のプログラムキーと、
プログラムのユーザが、該それぞれの指示プログラムおよび該指示プログラムのステップの完了の進行を決定することを支援し、該ステップインジケータは、該プログラムの各ステップが完了すると変化する複数の照明部材のディスプレイを備える、複数のステップインジケータと
を備える、装置。
【請求項１３】
前記ステップインジケータは、すべて、プログラムが起動すると照射されるライトを備え、該プログラムのそれぞれのステップが完了すると連続的に変化する、請求項１２に記載の装置。
【請求項１４】
前記ステップインジケータは、各ステップを示す一連の部材のディスプレイを備える、請求項１２に記載の装置。
【請求項１５】
複数のプログラムキーを使用するステップであって、各キーは、緊急医療シナリオ等の指示プログラムと関連付けられ、キーの使用は、該プログラムの一連のステップを開始する、ステップと、
複数のステップインジケータをプログラムごとに生成するステップであって、プログラムのユーザが、該それぞれの指示プログラムおよび該指示プログラムのステップの完了の進行を決定することを支援し、該ステップインジケータは、該プログラムの各ステップが完了すると変化する複数の照明部材のディスプレイを備える、ステップと
を包含する、仮想情報。
【請求項１６】
前記ステップインジケータは、すべて、プログラムが起動すると照射され、かつ、該プログラムのそれぞれのステップが完了すると連続的に変更されるライトを備える、請求項１５に記載の仮想装置。
【請求項１７】
前記ステップインジケータは、各ステップを示す一連の部材のディスプレイを備える、請求項１５に記載の仮想装置。
【請求項１８】
複数のプログラムを用いるステップであって、各キーは、緊急医療シナリオ等の指示プログラムと関連付けられ、キーの使用は、該プログラムの一連のステップを開始する、ステップと、
プログラムごとに複数のステップインジケータを生成するステップであって、プログラムユーザが、該それぞれの指示プログラムおよび該指示プログラムのステップの完了の進行を決定することを支援し、該ステップインジケータは、該プログラムの各ステップが完了すると変化する複数の照明部材のディスプレイを備える、ステップと
を包含する、情報提供方法。
【請求項１９】
前記ステップインジケータは、すべて、プログラムが起動すると照射され、該プログラムのそれぞれのステップが完了すると連続的に変化するライトを備える、請求項１８に記載の仮想装置。
【請求項２０】
前記ステップインジケータは、各ステップを示す一連の部材のディスプレイを備える、請求項１８に記載の仮想装置。
【請求項２１】
複数のプログラムキーであって、各キーは、緊急医療シナリオ等の指示プログラムと関連付けられ、キーの使用は、該プログラムの一連のステップを開始する、複数のプログラムキーと、
複数のステップインジケータであって、プログラムユーザが、該指示プログラムおよび該指示プログラムの完了の進行を決定することを支援し、該ステップインジケータは、該プログラムの各ステップが完了すると変化する複数の照明部材のディスプレイを備え、該ステップインジケータは、すべて、プログラムが起動すると照射され、かつ、該プログラムのそれぞれのステップが完了すると連続的に変更される、複数のステップインジケータと
を備える、仮想情報提供装置。
【請求項２２】
複数のプログラムキーであって、各キーは、緊急医療シナリオ等の指示プログラムと関連付けられ、キーの使用は、該プログラムの一連のステップを開始する、複数のプログラムキーと、
複数のステップインジケータであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、各ステップを示す一連の部材のディスプレイを備える、複数のステップインジケータと
を備える、仮想情報提供装置。
【請求項２３】
複数のプログラムキーであって、各キーは、緊急医療シナリオ等の指示プログラムと関連付けられ、キーの使用は、該プログラムの一連のステップを開始する、複数のプログラムキーと、
複数のステップインジケータであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、該プログラムのそれぞれのステップが完了すると連続的に変化する、複数のステップインジケータと
を備える、装置。
【請求項２４】
複数のプログラムキーであって、各キーは、緊急医療シナリオ等の指示プログラムと関連付けられ、キーの使用は、該プログラムの一連のステップを開始する、複数のプログラムキーと、
複数のステップインジケータであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、各ステップを示す一連の部材のディスプレイを備える、複数のステップインジケータと
を備える装置。
【請求項２５】
複数のプログラムキーを用いるステップであって、各キーは、緊急医療シナリオ等の指示プログラムと関連付けられ、キーの使用は、該プログラムの一連のステップを開始する、ステップと、
複数のステップインジケータを生成するステップであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、すべて、プログラムが起動すると照射され、かつ、該プログラムの各ステップが完了すると連続的に変更されるライトを備える、ステップと
を包含する、仮想情報提供方法。
【請求項２６】
複数のプログラムキーを用いるステップであって、各キーは、緊急医療シナリオ等の指示プログラムと関連付けられ、キーの使用は、該プログラムの一連のステップを開始する、ステップと、
複数のステップインジケータを生成するステップであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、各ステップを示す一連の部材のディスプレイを備える、ステップと
を包含する、仮想情報提供方法。
【請求項２７】
複数のプログラムキーを用いるステップであって、各キーは、緊急医療シナリオ等の指示プログラムと関連付けられ、キーの使用は、該プログラムの一連のステップを開始する、ステップと、
複数のステップインジケータを生成するステップであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、すべて、プログラムが起動すると照射され、かつ、該プログラムのそれぞれのステップが完了すると連続的に変更される、ステップと
を包含する、情報提供方法。
【請求項２８】
複数のプログラムキーを用いるステップであって、各キーは、緊急医療シナリオ等の指示プログラムと関連付けられ、キーの使用は、該プログラムの一連のステップを開始する、ステップと、
複数のステップインジケータを生成するステップであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、各ステップを示す一連の部材のディスプレイを備える、ステップと
を包含する、情報提供方法。
【請求項２９】
ウェブドキュメントサーバに格納されたコンピュータ読み出し可能ソフトウェアコードであって、該ウェブサーバは、クライアントサーバネットワークの一部分であり、該コンピュータ読み出し可能ソフトウェアコードは、該ウェブサーバに  
ウェブドキュメントをクライアントデバイスにダウンロードさせるための指示のセットを含み、該ウェブドキュメントは、実行されるべき特定のプログラムを選択するための個別に選択可能な１つ以上のプログラムセレクタを備え、各プログラムは、手順にステップを含む複数の音声指示メッセージと、プレイバックセレクタの動作のプレイバックを所定のパターンおよび該プレイバックセレクタの動作に合わせて方向付けるためのプレイバックコントロール情報とを含み、該プレイバックコントロール情報は、該ウェブサーバにおける各音声指示メッセージの位置と、該プログラム内の該音声指示のプレイバックの順序とを含む、コンピュータ読み出し可能ソフトウェアコード。
【請求項３０】
前記仮想表現は、ユーザが指示プログラムの完了に関する進行を決定することを支援する一連のステップインジケータを備える、請求項２９に記載のソフトウェアコード。
【請求項３１】
前記ステップインジケータは、すべて、前記プログラムの開始時に照射され、該プログラムにおける各ステップが完了すると変化する、請求項３０に記載のソフトウェアコード。
【請求項３２】
ウェブドキュメントサーバに格納されたコンピュータ読み出し可能ソフトウェアコードであって、該ウェブサーバは、クライアントサーバネットワークの一部分であり、該コンピュータ読み出し可能ソフトウェアコードは、該ウェブサーバに  
ウェブドキュメントをクライアントデバイスにダウンロードさせるための指示のセットを含み、該ウェブドキュメントは、実行されるべき特定のプログラムを選択するために適切であり、かつ個別に選択可能な１つ以上のプログラムセレクタを備える状態を含み、各プログラムは、手順にステップを含む複数の音声指示メッセージと、プレイバックセレクタの動作のプレイバックを所定のパターンおよび該プレイバックセレクタの動作に合わせて方向付けるためのプレイバックコントロール情報とを含み、該プレイバックコントロール情報は、該ウェブサーバにおける各音声指示メッセージの位置と、該プログラム内の該音声指示のプレイバックの順序とを含む、コンピュータ読み出し可能ソフトウェアコード。
【請求項３３】
仮想表現は、ユーザが指示プログラムの完了に関する進行を決定することを支援するための一連のステップインジケータを備える、請求項３２に記載のソフトウェアコード。
【請求項３４】
前記ステップインジケータは、すべて、前記プログラムの開始時に照射され、該プログラムの各ステップが完了すると変更される、請求項３３に記載のソフトウェアコード。
【発明の詳細な説明】
【技術分野】
【０００１】
（発明の分野）
本発明は、概して、インターネットおよび関連デバイスに関し、より具体的には、ウェブドキュメントを提供するインターネットウェブサーバ、または、特に、医療および他の緊急時の指示情報の双方向通信での提供に関する。
【背景技術】
【０００２】
（発明の背景）
（関連技術の説明）
意識を失った被害者の救助等における任意の緊急時活動において、関係者が可能な限り早急に、適切に対処することが極めて重要である。通常、被害者に対して適切な救助活動が行われた場合、被害者の生存率または回復率がはるかに高くなる。多くの救助活動を効果的に実行するために、救助は、標準の医学的救助マニュアルのいずれかに述べられるステップに従わなければならない。適切な手順は、概して、被害者の特定の条件に基づく。
【０００３】
標準的救助手順は、医療分野において非常に発達しており、本コンセプトの性質および用途を説明する必要があり得る場合を除いて、本開示の範囲には入らない。パラメディカル、消防士、および看護士等の専門的救助活動の中でも、適切な救助シーケンスまたは手順を正確に思い出すことができる人は比較的少ない。これは、さらに複雑である。なぜなら、「標準的」手順は、改良されたり、新しい方法を導入するために、頻繁に変更されるからである。
【０００４】
さらに重要なのは、パラメディカル、消防士、看護士、または他の救急医療技術者は、通常、緊急事態の決定的な最初の瞬間に居合せない。むしろ、素人の救助者、すなわち、通常、一般個人が緊急事態を発見し、これらの人々が適切な手順を開始し、かつ、専門家によるさらなる支援が必要かどうかを決定する責任を負う。
【０００５】
一般に、標準的手順は、ますます複雑になり、より多くの緊急事態に対してより多くの手順が生成されてきた。手順がますます複雑になるので、潜在的救助者がこれらの手順に精通し、かつ、これらを記憶することがますます困難になっている。
【０００６】
さらに、救助者が適切な非常時の手続き思い出し、かつ用いる能力は、通常、緊急事態を取巻く混乱した環境によってさらに妨げられる。
【０００７】
従来技術は、緊急時の指示を処理するか、または、音声指示を用いる種々のアプローチを認識している。従来技術のシステムは、特定の緊急事態の位置が特定され、緊急事態の位置を特定するためにページがめくられ、そして、一方の手で救急を行いながら少しずつ読み、そして、指示を連続的に戻って読み直されるインデックスを有する指示冊子の使用を含んでいる。従来技術は、さらに、銀行預金を記入する方法、保険証書等に関する情報の特定のビットを呼出す方法に関する指示を発信者に与えるために、電話の特定のコードによって活性化される洗練されたコンピュータ指示を含んでいる。
【０００８】
救助者が救急活動を適切に行うことを保証するために、緊急情報の提供を支援するためのデバイスを提供する試みがなされてきた。しかしながら、これらのほとんどは、ただ１つの緊急事態（心肺蘇生法（ＣＰＲ））専用のデバイスである。このようなデバイスの１つが、Ｓｅｌｗｙｎらによる米国特許第４，４５１，１５８号に示される。Ｓｅｌｗｙｎのデバイスは、コード化された種々のパターンを所定の時間間隔で表示して、救助活動における種々のステージを表示するタイマーの形態である。デバイスの主な不利な点は、救助者がどの手順のステップがどのコードと関連するかを記憶する際に、依然として混乱が生じ得ることである。
【０００９】
Ｐａｒｋｅｒらによる米国特許第４，５８８，３８３号に示されるような別のデバイスは、救助者がＣＰＲ救助活動を実行するための音声指示を提供するにすぎない。他のポータブルＣＰＲプロンプティングデバイスは、Ｐａｒｋｅｒらによる米国特許第４，５８８，３８３号、Ｈｕｔｃｈｉｎｓによる米国特許第４，５８３，５２４号、およびＢａｔｔａｇｌｉａによる米国特許第５，０８８，０３７号に開示されている。
【００１０】
消火器用の緊急時オーディブル指示装置は、Ｂｏｗｅｒによる米国特許第４，３０３，３９５号に開示される。このようなデバイスは、消防緊急事態を処理する際にユーザに指示する音声指示を提供する。このデバイスは、消火器がその台座から除去された場合に自動的に活性化される。Ｂｏｗｅｒは、複数の指示を格納するデバイスの具現化が、特定の緊急事態を選択するためのダイアルセレクタと共に備えられることを提案する。しかしながら、ＣＰＲプロンプティングデバイスとは異なり、Ｂｏｗｅｒのデバイスは、ポータブルでなく、かつ、ポータブルの解決策を提供する純粋な機械的手段を提案する。
【００１１】
一般化された手動鍵操作メッセージ生成器がＯ’Ｂｒｉｅｎによる米国特許第３，８４５，２５０号に記載される。しかしながら、このデバイスは、ポータブルでもなく、緊急時の使用にも適応しない。メッセージを取り出すために、ユーザは、一連の鍵を押して、予め記録された部分に基づいてメッセージを完全に組み立てる。
【００１２】
米国特許第５，０８６、３９１号は、２つの主要なコンポーネント、すなわち、頚部の周囲に装着されるデバイスおよびホームコンピュータを含む国内専用使用の医療用警報システムを開示する。頚部の周囲に装着するデバイスおよびホームコンピュータは、相互に通信してデバイスの装着者、およびデバイスの付き添い人に、ケアの指示および緊急時に救援を呼ぶ方法の両方を提供する。ホームコンピュータは、オーディオシンセサイザおよびボイスアンプデバイスを備え、個人に言語で伝達する。デバイスは、負傷した人が電話を用いることができない場合に遠隔地から救急車を呼出すために用いられ得る。
【００１３】
分かるように、既知のデバイスのほとんどが、かさばる大きさであり、救助現場で被害者の近傍の都合がよいところに配置するためにポータブルではなく、非常に限定された情報を提供し、そして、操作が複雑である。
【００１４】
過去に他の従来のデバイスが開発されており、これらは、米国特許第５，５２１，８１２号の緊急時情報提供装置および方法、ならびに、米国特許第５，６６８，９５４号の緊急情報を提供するための指示ＣＤプレーヤを含み、これらの開示の各々は、参考のため、本明細書中にその全体が援用される。
【発明の開示】
【課題を解決するための手段】
【００１５】
（発明の要旨）
本発明の基本的目的は、医療および他の非常時において指示情報の双方向仮想実現および提供するインターネットウェブサーバおよび方法を提供することである。被害者の近傍または緊急事態発生現場の近くに都合よく配置され、救助者が救助活動を実行することを支援し得る新しい形態のポータブルデバイスを提供することである。実現例は、被害者の状態に応じて、指示を少しずつ連続的に提供する。
【００１６】
本発明の特に重要な局面は、インターネットウェブサーバを介して実現されたか、または物理デバイスを介して実現されたかに関わらず、ユーザが指示プログラムの完了を基準にして経過を決定することを支援する複数のステップインジケータの提供である。好ましくは、光等の別個のインジケータが、プログラムのステップごとに提供され、ステップが完了すると、ステップが完了したという表示をユーザに提供するという態様で、対応するインジケータ光が消えるか、または点灯する。医療緊急事態等の危機的状況において、関わる関係者が苛立ち得、状況が混乱し得、講じるべきステップについてあいまいになり得る。従って、手順の開始および終了、および手順の各ステップの状態を示すなんらかのものを有することが重要である。このようなステップインジケータは、この重要な機能を提供する。あるいは、数の表示（例えば、１〜８）が提供され、各ステップが完了すると、ディスプレイが数をたどり得る。
【００１７】
これらのオブジェクトおよび機能は、本発明の緊急情報コンセプトで提供される。
１．  ウェブドキュメントサーバに格納されたコンピュータ読み出し可能ソフトウェアコードであって、該ウェブサーバは、クライアントサーバネットワークの一部分であり、該コンピュータ読み出し可能ソフトウェアコードは、該ウェブサーバに  
ウェブドキュメントをクライアントデバイスにダウンロードさせるための指示のセットを含み、該ウェブドキュメントは、実行されるべき特定のプログラムを選択するための、個別に選択可能な１つ以上のプログラムセレクタを含む緊急時情報提供装置の仮想表現を含み、各プログラムは、手順にステップを含む複数の音声指示メッセージと、プレイバックセレクタの動作のプレイバックを所定のパターンおよび該プレイバックセレクタの動作に合わせて方向付けるためのプレイバックコントロール情報とを含み、該プレイバックコントロール情報は、該ウェブサーバにおける各音声指示メッセージの位置と、該プログラム内の該音声指示のプレイバックの順序とを含む、コンピュータ読み出し可能ソフトウェアコード。
２．  前記仮想表現は、ユーザが指示プログラムの完了に関する進行を決定することを支援する一連のステップインジケータを備える、項目１に記載のソフトウェアコード。
３．  前記ステップインジケータは、すべて、前記プログラムの開始時に照射され、該プログラムにおける各ステップが完了すると変化する、項目２に記載のソフトウェア。
４．  前記ステップ指示は、ディスプレイ上に提供される数を含む、項目２に記載のソフトウェア。
５．  複数のプログラムキーであって、各キーは、緊急医療シナリオ等の指示プログラムと関連付けられ、キーを押し下げることによって、該プログラムの一連のステップが開始する、複数のプログラムキーと、
プログラムのユーザが、該指示プログラムおよび該指示プログラムのステップの完了の進行を決定することを支援する複数のステップインジケータであって、該ステップインジケータは、該プログラムの各ステップが完了すると、照明を変更する複数の照明部材を備える、複数のステップインジケータと
を備える、コンパクトポータブル情報。
６．  前記複数のステップインジケータは、すべて、プログラムが起動すると照射され、かつ、該プログラムのそれぞれのステップが完了すると、連続的に変更される、項目５に記載の装置。
７．  前記装置は、前記ユーザがプログラムと関連するステップの完了を承認することを可能にする承認キーをさらに備える、項目５に記載の装置。
８．  前記ステップインジケータは、ディスプレイ上に提供される数を含む、項目５に記載の装置。
９．  複数のプログラムキーであって、各キーは、緊急医療シナリオ等の指示プログラムと関連付けられ、キーの使用は、該プログラムの一連のステップを起動する、複数のプログラムキーと、
プログラムごとの複数のステップインジケータであって、前記プログラムのユーザが該それぞれの指示プログラムおよび該指示プログラムのステップの完了の進行を決定することを支援し、該ステップインジケータは、該プログラムの各ステップが完了すると変化する複数の照明部材のディスプレイを備える、複数のステップインジケータと
を備える、仮想情報提供装置。
１０．  前記ステップインジケータは、すべて、プログラムが起動すると照射され、該プログラムのそれぞれのステップが完了すると連続的に変化する、項目９に記載の仮想装置。
１１．  前記ステップインジケータは、各ステップを示す一連の部材のディスプレイを備える、項目９に記載の仮想装置。
１２．  複数のプログラムキーであって、各キーは、緊急医療シナリオ等の指示プログラムと関連付けられ、キーの使用は、該プログラムの一連のステップを開始する、複数のプログラムキーと、
プログラムのユーザが、該それぞれの指示プログラムおよび該指示プログラムのステップの完了の進行を決定することを支援し、該ステップインジケータは、該プログラムの各ステップが完了すると変化する複数の照明部材のディスプレイを備える、複数のステップインジケータと
を備える、装置。
１３．  前記ステップインジケータは、すべて、プログラムが起動すると照射されるライトを備え、該プログラムのそれぞれのステップが完了すると連続的に変化する、項目１２に記載の装置。
１４．  前記ステップインジケータは、各ステップを示す一連の部材のディスプレイを備える、項目１２に記載の装置。
１５．  複数のプログラムキーを使用するステップであって、各キーは、緊急医療シナリオ等の指示プログラムと関連付けられ、キーの使用は、該プログラムの一連のステップを開始する、ステップと、
複数のステップインジケータをプログラムごとに生成するステップであって、プログラムのユーザが、該それぞれの指示プログラムおよび該指示プログラムのステップの完了の進行を決定することを支援し、該ステップインジケータは、該プログラムの各ステップが完了すると変化する複数の照明部材のディスプレイを備える、ステップと
を包含する、仮想情報提供方法。
１６．  前記ステップインジケータは、すべて、プログラムが起動すると照射され、かつ、該プログラムのそれぞれのステップが完了すると連続的に変更されるライトを備える、項目１５に記載の仮想装置。
１７．  前記ステップインジケータは、各ステップを示す一連の部材のディスプレイを備える、項目１５に記載の仮想装置。
１８．  複数のプログラムを用いるステップであって、各キーは、緊急医療シナリオ等の指示プログラムと関連付けられ、キーの使用は、該プログラムの一連のステップを開始する、ステップと、
プログラムごとに複数のステップインジケータを生成するステップであって、プログラムユーザが、該それぞれの指示プログラムおよび該指示プログラムのステップの完了の進行を決定することを支援し、該ステップインジケータは、該プログラムの各ステップが完了すると変化する複数の照明部材のディスプレイを備える、ステップと
を包含する、情報提供方法。
１９．  前記ステップインジケータは、すべて、プログラムが起動すると照射され、該プログラムのそれぞれのステップが完了すると連続的に変化するライトを備える、項目１８に記載の仮想装置。
２０．  前記ステップインジケータは、各ステップを示す一連の部材のディスプレイを備える、項目１８に記載の仮想装置。
２１．  複数のプログラムキーであって、各キーは、緊急医療シナリオ等の指示プログラムと関連付けられ、キーの使用は、該プログラムの一連のステップを開始する、複数のプログラムキーと、
複数のステップインジケータであって、プログラムユーザが、該指示プログラムおよび該指示プログラムの完了の進行を決定することを支援し、該ステップインジケータは、該プログラムの各ステップが完了すると変化する複数の照明部材のディスプレイを備え、該ステップインジケータは、すべて、プログラムが起動すると照射され、かつ、該プログラムのそれぞれのステップが完了すると連続的に変更される、複数のステップインジケータと
を備える、仮想情報提供装置。
２２．  複数のプログラムキーであって、各キーは、緊急医療シナリオ等の指示プログラムと関連付けられ、キーの使用は、該プログラムの一連のステップを開始する、複数のプログラムキーと、
複数のステップインジケータであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、各ステップを示す一連の部材のディスプレイを備える、複数のステップインジケータと
を備える、仮想情報提供装置。
２３．  複数のプログラムキーであって、各キーは、緊急医療シナリオ等の指示プログラムと関連付けられ、キーの使用は、該プログラムの一連のステップを開始する、複数のプログラムキーと、
複数のステップインジケータであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、該プログラムのそれぞれのステップが完了すると連続的に変化する、複数のステップインジケータと
を備える、装置。
２４．  複数のプログラムキーであって、各キーは、緊急医療シナリオ等の指示プログラムと関連付けられ、キーの使用は、該プログラムの一連のステップを開始する、複数のプログラムキーと、
複数のステップインジケータであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、各ステップを示す一連の部材のディスプレイを備える、複数のステップインジケータと
を備える装置。
２５．  複数のプログラムキーを用いるステップであって、各キーは、緊急医療シナリオ等の指示プログラムと関連付けられ、キーの使用は、該プログラムの一連のステップを開始する、ステップと、
複数のステップインジケータを生成するステップであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、すべて、プログラムが起動すると照射され、かつ、該プログラムの各ステップが完了すると連続的に変更されるライトを備える、ステップと
を包含する、仮想情報提供方法。
２６．  複数のプログラムキーを用いるステップであって、各キーは、緊急医療シナリオ等の指示プログラムと関連付けられ、キーの使用は、該プログラムの一連のステップを開始する、ステップと、
複数のステップインジケータを生成するステップであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、各ステップを示す一連の部材のディスプレイを備える、ステップと
を包含する、仮想情報提供方法。
２７．  複数のプログラムキーを用いるステップであって、各キーは、緊急医療シナリオ等の指示プログラムと関連付けられ、キーの使用は、該プログラムの一連のステップを開始する、ステップと、
複数のステップインジケータを生成するステップであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、すべて、プログラムが起動すると照射され、かつ、該プログラムのそれぞれのステップが完了すると連続的に変更される、ステップと
を包含する、情報提供方法。
２８．  複数のプログラムキーを用いるステップであって、各キーは、緊急医療シナリオ等の指示プログラムと関連付けられ、キーの使用は、該プログラムの一連のステップを開始する、ステップと、
複数のステップインジケータを生成するステップであって、プログラムのユーザが、該指示プログラムおよび該指示プログラムのステップの完了の進行を決定することを支援し、該ステップインジケータは、該プログラムの各ステップが完了すると変化する複数の照明部材のディスプレイを備え、該ステップインジケータは、各ステップを示す一連の部材のディスプレイを備える、ステップと
を包含する、情報提供方法。
２９．  ウェブドキュメントサーバに格納されたコンピュータ読み出し可能ソフトウェアコードであって、該ウェブサーバは、クライアントサーバネットワークの一部分であり、該コンピュータ読み出し可能ソフトウェアコードは、該ウェブサーバに  
ウェブドキュメントをクライアントデバイスにダウンロードさせるための指示のセットを含み、該ウェブドキュメントは、実行されるべき特定のプログラムを選択するための個別に選択可能な１つ以上のプログラムセレクタを備え、各プログラムは、手順にステップを含む複数の音声指示メッセージと、プレイバックセレクタの動作のプレイバックを所定のパターンおよび該プレイバックセレクタの動作に合わせて方向付けるためのプレイバックコントロール情報とを含み、該プレイバックコントロール情報は、該ウェブサーバにおける各音声指示メッセージの位置と、該プログラム内の該音声指示のプレイバックの順序とを含む、コンピュータ読み出し可能ソフトウェアコード。
３０．  前記仮想表現は、ユーザが指示プログラムの完了に関する進行を決定することを支援する一連のステップインジケータを備える、項目２９に記載のソフトウェアコード。
３１．  前記ステップインジケータは、すべて、前記プログラムの開始時に照射され、該プログラムにおける各ステップが完了すると変化する、項目３０に記載のソフトウェアコード。
３２．  ウェブドキュメントサーバに格納されたコンピュータ読み出し可能ソフトウェアコードであって、該ウェブサーバは、クライアントサーバネットワークの一部分であり、該コンピュータ読み出し可能ソフトウェアコードは、該ウェブサーバに  
ウェブドキュメントをクライアントデバイスにダウンロードさせるための指示のセットを含み、該ウェブドキュメントは、実行されるべき特定のプログラムを選択するために適切であり、かつ個別に選択可能な１つ以上のプログラムセレクタを備える状態を含み、各プログラムは、手順にステップを含む複数の音声指示メッセージと、プレイバックセレクタの動作のプレイバックを所定のパターンおよび該プレイバックセレクタの動作に合わせて方向付けるためのプレイバックコントロール情報とを含み、該プレイバックコントロール情報は、該ウェブサーバにおける各音声指示メッセージの位置と、該プログラム内の該音声指示のプレイバックの順序とを含む、コンピュータ読み出し可能ソフトウェアコード。
３３．  仮想表現は、ユーザが指示プログラムの完了に関する進行を決定することを支援するための一連のステップインジケータを備える、項目３２に記載のソフトウェアコード。
３４．  前記ステップインジケータは、すべて、前記プログラムの開始時に照射され、該プログラムの各ステップが完了すると変更される、項目３３に記載のソフトウェアコード。
【００１８】
本発明のこれらおよび他の有利な点は、図面を参照することにより最もよく理解される。
【発明を実施するための最良の形態】
【００１９】
（発明の詳細な説明）
（好ましい実施形態の詳細な説明）
最初に図１を参照して、米国特許第５，５２１，８１２号および第５，６６８，９５４号に開示されたタイプの緊急時情報提供装置の部分的立面図が示される。装置の外部部分は、ケーシング１００の主要部分を占める。ケーシング１００は、硬質プラスチック、ＰＶＣ等の硬質材料で作製されることが好ましい。さらに、ケーシング１００に、またはこの中に配置されるケーシングおよびアイテムは、共に耐水性であり、これにより、水分は、装置の内部部分に浸透したり、短絡または侵食を引き起こすことはない。これは有用であり、これにより、装置は、例えば、雨中で、または、消火のために水が用いられる火災緊急時に用いられ得る。ケーシング１００の底部（図示せず）は、装置が下に置かれた場合に衝撃および振動を低減するために、ケーシング１００内に埋め込まれ、かつケーシング１００の外縁に露出されたゴムパッド等の衝撃吸収パッドを備えることが好ましい。
【００２０】
装置の左側に、ヒンジコンパートメント１８０が存在する。示されるように、コンパートメント１８０は、密閉およびロックされた状態である。コンパートメント１８０は、当該技術にて公知ように、装置の側面または上面に位置し得るリリース（図示せず）によって開放され得る。コンパートメント１８０は、コンパクトディスク（ＣＤ）（図示せず）等のプログラム媒体を収容するように調整される。コンパートメント１８０は、開放されると、ＣＤを収容し得、閉じられると、コンパートメント１８０は、ＣＤを装置内に保持する。
【００２１】
ＣＤはプログラム媒体の一形態であり、他の媒体も一般的に適切である。これらの媒体は、ＰＣＭＣＩＡカード上のデータプレイＣＤ、マイクロカセット、フロッピー（登録商標）ディスク、ＤＡＴ、フラッシュメモリ、またはＲＯＭ等の標準的形態および記憶フォーマットのものであることが好ましい。
【００２２】
図１に示されるように、３つのプログラムセレクタ１１０の５つのロウが提供されている。プログラムセレクタ１１０は、内部に格納されたプログラムのプレイバックを選択し、これにより開始するために用いられる。プログラムセレクタ１１０の数は、重要ではないが、数個が提供され、これにより、数個の緊急事態がアドレス指定され得る。プレイバックをさらに制御するために、停止キー１６０Ｈ、リバースキー１６０Ｒ、前送りキー１６０Ｆ、および継続プレイキー１６０Ｐを備える数個のプレイバックセレクタ１６０もまた提供される。プログラムセレクタ１１０およびプレイバックセレクタ１６０は、押しボタンであることが好ましい。プログラムセレクタ１１０およびプレイバックセレクタ１６０はバックライトであることが好ましい。
【００２３】
この装置で、ほぼ無限の数字のプログラムが用いられ得る。この柔軟性を対応するために、プログラムセレクタ１１０には数１〜１５がラベル付けされることが好ましく、これらの数字は、格納されたプログラムに対応する。プログラムは、ＡＩＤＳ／ＨＩＶ、鼻血、こぶ、および打撲、やけど、窒息、ＣＰＲ、歯科外傷、溺水、地震、電気ショック、外出血、眼の外傷、火災、骨折および脱臼、凍傷および低体温症、熱中症、熱関連の緊急事態（ｈｅａｔ  ｅｍｅｒｇｅｎｃｉｅｓ）、昆虫による刺傷および咬傷、内傷、捻挫、筋肉の痙攣、中毒、人工呼吸、てんかん性発作およびショック、発作、脊椎損傷、捻挫および挫傷、ならびに緊急時活動原則に関する指示を含み得る。
【００２４】
各スタートプログラムについて、除去可能なオーバーレイ１１５が提供され得る。オーバーレイ１１５は、プログラムセレクタ１１０の上およびその周囲に配置されるように調整される。オーバーレイ１１５は、格納されたプログラムに従ってプログラムセレクタ１１０をラベル付けする。従って、オーバーレイ１１５を走査することによって、ユーザは、どのプログラムセレクタ１１０を押して所定のプログラムのプレイバックを開始するかを決定し得る。オーバーレイ１１５は、プラスチックの薄膜片であることが好ましく、ラベルは、装置の通常の使用によって消えることはない。
【００２５】
一旦プログラムセレクタ１１０が押され、選択されたプログラムが実行を開始すると、プログラムセレクタ１１０およびプログラムの名称と関連したプログラムの数は、ディスプレイ１６０上に表示される。図１において、「出血」に関するプロ部ラム番号５がプレイバックを開始することが示される。プログラムは、多言語音声であり得る。好ましくは、言語セレクタ１８５はケーシング内にある。
【００２６】
（情報提供装置の仮想実現）
ここで図２に戻ると、本発明の好ましい実施形態が実現されるネットワークデータ配信システムが示される。データ配信システムは、ローカルデバイス６００、データアクセスネットワーク６２０、およびウェブサーバ６５０を備える。ローカルデバイス６００、データアクセスネットワーク６２０、およびモニタリングサーバ６３０は、ネットワークデータ配信システムを備える。
【００２７】
ローカルデバイス６００は、ローカルアクセスネットワーク１２０を介してウェブサーバ６５０にアクセスするように構成されるクライアントコンピュータを備えることが好ましい。クライアントコンピュータは、例えば、Ｍｉｃｒｏｓｏｆｔ  Ｗｉｎｄｏｗｓ（登録商標）オペレーティングシステムを実行するＰＣであり得る。ローカルデバイス６００は、好ましくは、ディスプレイ６０１等の出力デバイスと、例えば、キーバオード６０２および／またはポインティングデバイス６０３（例えば、マウス、トラックボール、ライトペン、またはデータグローブ）等の入力デバイスとを備える。ローカルデバイス６００は、ローカルデバイス６００とインターフェースし、ＰＤＡ等のデータアクセスデバイスがローカルデバイス６００とインターフェースし、データを交換することを可能にする。
【００２８】
さらに、ローカルデバイス１００は、個々のユーザの特定の目安をウェブページのソースとインタラクティブに提供する任意のデバイスであり得る。例えば、ローカルデバイスは、インターネットアプライアンス、ネットワークコンピュータ（ＮＣ）、または、ＰＤＡ、携帯電話等の適切なインターネット可能デバイスであり得る。
【００２９】
データアクセスネットワーク６２０は、ローカルデバイス１００がウェブサーバ６５０と双方向通信する下層ネットワークサポートを提供する。データアクセスネットワーク６２０は、ＴＣＰ／ＩＰネットワーク（例えば、インターネットまたはイントラネット）と結合されたか、または、これによって重畳された（例えば、加入電話網（ＰＳＴＮ）、ケーブルベースの電話ネットワーック、ＬＡＮ、ＷＡＮ、ワイヤレスネットワーク等の）一般的またはプライベート両方向電気通信ネットワークを含むことが望ましい。
【００３０】
ウェブサーバ６５０は、当該分野にて公知のタイプのものあり得、かつ、当該技術にて公知の態様でリクエストされるようなローカルデバイス６００にウェブページを提供する能力を有する。ウェブサーバ６５０は、ローカルデバイス１００に利用可能なウェブページの任意のソースの総称である。従って、例えば、ウェブサーバ６５０は、インターネットからアクセス可能であり得るか、またはイントラネットの一部分であり得、任意の数のウェブサーバを表す。
【００３１】
Ｍｉｃｒｏｓｏｆｔ  Ｉｎｔｅｒｎｅｔ  ＥｘｐｌｏｒｅｒまたはＮｅｔｓｃａｐｅ  Ｎａｖｉｇａｔｏｒ等のブラウザアプリケーションは、ローカルデバイス６００にインストールされることが好ましい。ローカルデバイス１００は、データアクセスネットワーク６２０を通じてウェブサーバ６５０に接続され、ローカルデバイスのユーザは、ブラウザアプリケーションを用いて、ローカルデバイス６００からウェブサーバ６５０をブラウズする。ブラウザアプリケーションそれ自体は、ローカルデバイス６００に格納される必要はない。
【００３２】
ここで図３を参照して、ブラウザアプリケーション、ここでは、Ｍｉｃｒｏｓｏｆｔ  Ｉｎｔｅｒｎｅｔ  Ｅｘｐｌｏｒｅｒによって生成されたブラウザウィンドウ７００が示される。ブラウザウィンドウ７００は、当業者に公知であり、従って、本明細書中ではこれ以上、特に記載されない。大抵のブラウザアプリケーションおよびそれらの技術仕様の
使用に関するさらなる情報は、十分に利用可能である。
【００３３】
ブラウザウィンドウ７００のいくつかの局面は、さらなる参考のために以下に確認される。これらの局面は、ディスプレイペイン７１０、アドレスバー７２０、およびタイトルバー７３０を備える。ディスプレイペイン７１０は、ブラウザウィンドウ７００の領域であり、ブラウザアプリケーションは、ブラウザアプリケーションによって受信されるウェブページを表示させる。アドレスバー７２０は、ブラウザウィンドウ７００の別の領域であり、ブラウザアプリケーションは、ディスプレイペイン７１０において現在表示されているウェブページに対応するアドレスベイ７２０にＵＲＬを表示する。ユーザは、さらに、アドレスバー７２０にＵＲＬを入力し得、ブラウザアプリケーションは、ウェブページまたは入力されたＵＲＬをポイントする他のオブジェクトのロードを試みる。タイトルバー７３０の主な機能は、ブラウザアプリケーションのタイトルを表示することである。
【００３４】
ウェブサーバ６５０は、上述の緊急時情報提供装置の仮想表現と関連した１つ以上のウェブページを含むメモリを備えることが好ましい。ウェブサーバ６５０は、ローカルデバイス６００にウェブページをダウンロードし、これにより、緊急時情報提供装置の表現がブラウザディスプレイペイン７１０内のディスプレイデバイス６０１上に表示される。
【００３５】
図４は、仮想危機情報提供装置８００の表現を含むウェブページの実施形態を示す。仮想情報提供装置８００は、図１に関してすでに記載された物理装置の動作をシミュレートするように構成されることが好ましい。従って、ウェブページは、いくつかのハイパーテキストプログラムキー８１０を備え、各プログラムキー８１０は、ウェブサーバ６５０に格納されたプログラムと関連付けられる。プログラムキー８１０のいずれかをクリックすることによって、ローカルデバイス６００のユーザは、特定のキー８１０と関連したプログラムをウェブサーバにロードおよび起動させる。好ましい実施形態において、各プログラムは、救急医療シナリオに関する指示のセットと関連付けられるが、プログラムは異なり得る。
【００３６】
仮想情報提供装置８００は、ユーザがローカルデバイス６００を用いて、開始、終了、停止等の、プログラムと関連する機能を実行することを可能にする１つ以上のオペレーショナルキー８１２をさらに備える。さらに、装置８００は、プログラムにおいて完了したステップの数に関するステータスの表現を提供する（これらのステップは、より詳細に後述される）ステップインジケータ８１４を含む。
【００３７】
図４を参照して、仮想情報提供装置は、ローカルデバイス６００のユーザがプログラムと関連したステップの完了を承認することを可能にする１つ以上の承認キー８１６の表現をさらに備える。
【００３８】
図５は、仮想緊急時情報提供装置と関連したローカルデバイス６００にダウンロードされるウェブページにプロセスを記載するフローチャートを示す。プロセスは、ユーザがローカルデバイス６００を用いてウェブサーバ６５０にアクセスする場合に開始する（ステップ９１０）。ステップ９２０において、ウェブサーバ６５０が１つ以上のウェブページにローカルデバイス６００をダウンロードする。ウェブページは、好ましくは、ユーザが、オプションのリストから仮想情報提供装置８００の特定の指示のテンプレートを選択することを可能にする（ステップ９３０）。例えば、ユーザは、緊急時サービスの提供、または、緊急時サービスの特定のカテゴリの提供と関連した指示のテンプレートを選択し得る。テンプレートは、他の題目とも関連付けられ得る。
【００３９】
ステップ９４０において、ともかく、ユーザが指示のテンプレートを選択した後に、ウェブサーバは、選択された指示のテンプレートと関連付けて構成された情報提供装置８００の表現が表示されるウェブページをダウンロードする。例えば、図８は、緊急時の医療指示を実現するように構成された情報提供装置と関連したウェブページを示す。プログラムキー８１０は、各々、それぞれのキー８１０が選択された場合に実現される特定の指示セットを示すラベルを備える。
【００４０】
ステップ９５０において、指示プログラムが起動される。ウェブサーバ６５０は、好ましくは、身体的緊急時情報提供装置に関してすでに記載されたように、ローカルデバイス６００に特定のプログラムを実行させる指示を発する。ユーザは、承認キー８１２およびオペレーショナルキー８１０を用いて、プログラムをポーズ、ストップ、実行、または、これと双方向通信し得る。
【００４１】
各プログラムは、好ましくは、手順のステップと関連する複数の音声指示メッセージを備える。ある実施形態では、この手順は、医療緊急事態を扱う指示ステップに関連する。しかしながら、手順は、指示ステップに適切である任意の他のタイプの状態の指示ステップにも関連し得る。プログラムは、所定のパターンで、ならびに、オペレーショナルキー８１０および承認キー８１２の動作と関連した音声ステップメッセージのプレイバックを方向付けるためのプレイバック制御情報をさらに備え得る。
【００４２】
好ましい実施形態では、承認キー８１２は、音声指示ステップに応答して、双方向通信で用いられる。ユーザは、音声指示を承認するように適切な承認キー８１２を選択することが好ましい。好ましくは、プログラムは、プログラムが所定の時間の間ポーズするか、または、ユーザが承認キー８１２の１つ以上を用いてステップの完了を承認するまで、指示を繰り返す所定のストップポイントを備える。装置は、音声承認に応答するように構成されることが好ましい。装置には、ユーザの音声を認識、および、これに応答する音声起動ソフトウェアが装備され得る。
【００４３】
例えば、緊急時の医療指示プログラムにおいて、音声指示は、ユーザが人の呼吸をチェックするように指示し得る。プログラムは、指示を繰り返すか、ユーザがこのステップが完了されたことを承認するまで次の指示の実行をポーズし得る。一旦承認が受信されると、プログラムは継続する。
【００４４】
ステップインジケータ８１４は、指示プログラムの完了に関する進行をユーザが決定することを支援することが好ましい。好ましくは、ライト等の別個のインジケータがプログラムの各ステップに提供される。任意の所与のプログラム（例えば、出欠、やけど、発作等の医療緊急事態のカテゴリー）。例えば、「出血」プログラムは、４つのステップを含み得、「発作」プログラムは、８つのステップを含み得る、等である。プログラムの１つが選択された場合、ライトのすべてが、例えば、緑色で照射され得、これにより、オペレータは、例えば、４、５、６、または、より多くのステップがあることをすでに見出し得る。ステップが完了すると、対応するインジケータライトが消されるか、または照射されるか、あるいは、異なった色で照射され、ステップが完了したという表示をユーザに提供する。インジケータは、さらに、特定のステップの保留の間、点滅または明滅し得る。従って、ステップインジケータ８１４は、実行される特定のプログラムの進行に関する視覚ステータスおよび要約をユーザに提供する。
【００４５】
好ましい実施形態では、ドッキングステーション６１１は、パルムパイロット等のＰＤＡに１つ以上のプログラムおよび情報提供装置の仮想表現を伝送するために用いられ得る。その後、ＰＤＡは、指示プログラムを実現するために用いられ得る。例えば、ユーザは、ＰＤＡをドッキングステーション６１１にドッキングし、その後、仮想情報提供装置をＰＤＡのメモリにダウンロードし得る。その後、仮想情報提供装置のウェブページ表現に提供された機能が、好ましくは、ＰＤＡ上のタッチスクリーンを介してＰＤＡ上で直接利用可能になる。好ましくは、音声指示の形態の音声ファイルが、指示プログラムおよび仮想情報提供装置の部分としてＰＤＡにダウンロードされる。ＰＤＡは、さらに、ＰＤＡ上に配置されたマイクロホンから、ユーザからの音声指示を受け取るように構成される。あるいは、プログラムは、コンピュータ（例えば、ハードドライブ）またはＰＤＡメモリに格納または組み込まれ、かつ、緊急時アイコンを介してアクセス可能であり得る。
【００４６】
（物理デバイス）
図４に示される本発明の仮想装置は、さらに、図１との関連ですでに記載された性質の物理デバイスで実現され得るが、さらに、すでに記載されたものと同じ態様、および同じ目的で動作する物理デバイスにステップインジケータ８１４を備える。従って、本発明のコンセプトは、ネットワークデータ配信システムおよびインターネットを通じて、あるいは、他の通信システムを介して仮想デバイスの形態で実現され得、かつ、図４に示されるものと同様の物理デバイスで実現され得る。
【００４７】
このデバイスは、通常、電力供給されたバッテリーであり、かつ、音声指示を提供するためのスピーカ８２０（図４）を備え、キーパッド８１０と相互接続されたマイクロコントローラを有する、図６に示されるような内部システムを備え、ステップインジケータ８１２は、ライト（例えば、ＬＥＤの）を適切に照射または消させる。プログラムは、好ましくは、フラッシュメモリに格納され、図６に示されたシステムの他のコンポーネントは、音声情報を提供する。
【００４８】
すでに述べられたように、ステップは、仮想システムまたはポータブルデバイスのどちらかまたはこれらの両方についてプログラムステップが完了すると、ステップを実行する数の表示を介して示され得る。
【００４９】
本発明の実施形態が示され、かつ記載されたが、本発明の範囲から逸脱することなく種々の改変がなされ得、すべてのこのような改変および等価物を含むことが意図される。
【００５０】
本明細書中に緊急情報指示を実現するためのインターネットサーバ装置、方法、およびデバイスが開示された。指示は、複数のステップのプログラムを備え、仮想緊急時情報提供装置の表現を含むウェブページの使用による仮想実現の形態で、あるいは、物理ポータブルデバイスの形態であり得る。インジケータはライトまたは数字ディスプレイの形態で提供され、プログラムの連続的ステップの完了を示し、どれだけのステップが必要であるかをユーザが知ることを支援し、各ステップの完了を示す。
【図面の簡単な説明】
【００５１】
【図１】図１は、従来技術の緊急時情報提供装置の部分的立面図である。
【図２】図２は、ネットワークデータ配信システムのブロック図である。
【図３】図３は、インターネットブラウザウィンドウを示す。
【図４】図４は、情報提供装置の仮想表現を含む例示的ウェブページを示す。
【図５】図５は、仮想情報提供装置と関連するインターネントを介して指示プログラムを提供する方法を説明するフローチャートである。
【図６】図６は、本発明によるハードウェア実装デバイスのブロック図である。
【図１】
2006012096.tif 000003
【図２】
2006012096.tif 000004
【図３】
2006012096.tif 000005
【図４】
2006012096.tif 000006
【図５】
2006012096.tif 000007
【図６】
2006012096.tif 000008
【外国語明細書】
2006012096.tif 000009
2006012096.tif 000010
2006012096.tif 000011
2006012096.tif 000012
2006012096.tif 000013
2006012096.tif 000014
2006012096.tif 000015
2006012096.tif 000016
2006012096.tif 000017
2006012096.tif 000018
2006012096.tif 000019
2006012096.tif 000020
2006012096.tif 000021
2006012096.tif 000022
2006012096.tif 000023
2006012096.tif 000024
2006012096.tif 000025
2006012096.tif 000026
2006012096.tif 000027
2006012096.tif 000028
2006012096.tif 000029
2006012096.tif 000030
2006012096.tif 000031
2006012096.tif 000032
2006012096.tif 000033
2006012096.tif 000034
2006012096.tif 000035
2006012096.tif 000036
2006012096.tif 000037
2006012096.tif 000038
2006012096.tif 000039
2006012096.tif 000040
2006012096.tif 000041